(57)【要約】【課題】  一つの基本形体を組み合わせて様々な外観形態を実現することができるようにすることにある。【解決手段】  四角板形状の一対の端板３と、この端板３の二倍の長さを有する一対の側板４とで一体構成した長方形四角枠５を、両側板４間の中間に隔板６を配して一対の正方形四角枠７に形成した枠材２とし、一対のこの枠材２を、夫々の一方の正方形四角枠７同士を重ねて相互に直交する姿勢で一体組付けした枠体単体１を構成し、更に複数のこの枠体単体１を前後左右に組み合わせることを特徴とする。【選択図】        図１
2005046317.tif 000002
【特許請求の範囲】
【請求項１】
四角板形状の一対の端板（３）と、該端板（３）の二倍の長さを有する一対の側板（４）とで一体構成した長方形四角枠（５）を、前記両側板（４）間の中間に隔板（６）を配して一対の正方形四角枠（７）に形成した枠材（２）とし、一対の該枠材（２）を、夫々の一方の正方形四角枠（７）同士を重ねて相互に直交する姿勢で一体組付けした枠体単体（１）を構成し、更に複数の該枠体単体（１）を組み合わせることを特徴とする収納枠体。
【請求項２】
一対の枠体単体（１）にあって、一方の枠体単体（１）の垂直姿勢となった長方形四角枠（５）の側板（４）下位面に、他方の枠体単体（１）の水平姿勢となった長方形四角枠（５）の端板（３）を、夫々対向して組み合わせることを特徴とする請求項１に記載の収納枠体。
【請求項３】
同一方向に向け、且つ一方を倒立させた一対の枠体単体（１）にあって、一方の枠体単体（１）の水平姿勢となった長方形四角枠（５）を、他方の枠体単体（１）の水平姿勢となった長方形四角枠（５）に乗載して組み合わせることを特徴とする請求項１に記載の収納枠体。
【請求項４】
一対の枠体単体（１）を、夫々同一方向に向け且つ約４５度の傾斜姿勢にして、一方の枠体単体（１）の長方形四角枠（５）の上部を、他方の枠体単体（１）の長方形四角枠（５）の下部に乗載して組み合わせることを特徴とする請求項１に記載の収納枠体。
【発明の詳細な説明】
【技術分野】
【０００１】
本発明は、様々な組み合わせ形態が可能な収納枠体に関するものである。
【背景技術】
【０００２】
室内に設置される家具としての収納体には様々な形態があり、設置環境、収納物等に対応して取捨選択されている。
【０００３】
例えば下記文献にかかる考案「ＣＤラックの改良構造」の如きものである。
【特許文献１】実用新案登録第３０９３５０９号公報
【発明の開示】
【発明が解決しようとする課題】
【０００４】
しかしながら上記文献で開示された考案を含むこれ等の家具は、所謂キャビネット、ラックと称されるもので、製品によっては、室内のスペース、用途に応じて例えば折り畳み形式にし、その外観形態を変化させることもあるが、形状も使用形態も極めて画一的であった。
【０００５】
即ち従来の製品は、単純に収納家具として機能性だけに着目すれば充分に満足させられるものではあるが、室内インテリアの観点から機能美を追求し、更には使用勝手に応じた変化を求めようとすると、画一的な家具は魅力の乏しいものといわなければならない。
【０００６】
よって本発明は、上述した従来技術の欠点、不都合、不満を解消するべく開発された収納枠体で、一つの基本形体を組み合わせて様々な外観形態を実現することができるようにすることを目的とする。
【課題を解決するための手段】
【０００７】
上記課題を解決するため、本発明の収納枠体は、四角板形状の一対の端板と、この端板の二倍の長さを有する一対の側板とで一体構成した長方形四角枠を、前記した両側板間の中間に隔板を配して一対の正方形四角枠に形成した枠材とし、一対のこの枠材を、夫々の一方の正方形四角枠同士を重ねて相互に直交する姿勢で一体組付けした枠体単体を構成し、更に複数のこの枠体単体を組み合わせることを特徴とする構成である。
【０００８】
この場合、一対の枠体単体にあって、一方の枠体単体の垂直姿勢となった長方形四角枠の側板下位面に、他方の枠体単体の水平姿勢となった長方形四角枠の端板を、夫々対向して組み合わせることを特徴とする。
【０００９】
または、同一方向に向け、且つ一方を倒立させた一対の枠体単体にあって、一方の枠体単体の水平姿勢となった長方形四角枠を、他方の枠体単体の水平姿勢となった長方形四角枠に乗載して組み合わせることを特徴とする。
【００１０】
或いは、一対の枠体単体を、夫々同一方向に向け且つ約４５度の傾斜姿勢にして、一方の枠体単体の長方形四角枠の上部を、他方の枠体単体の長方形四角枠の下部に乗載して組み合わせることを特徴とする。
【発明の効果】
【００１１】
本発明の収納枠体は、枠体単体を一単位とし、その複数組みを正立姿勢、倒立姿勢、正対・反対姿勢、或いは傾斜姿勢にして組み合わせることにより、全く異なる外観形態に選択することが可能で、室内インテリアのバリエーションを多く選択することができ、しかも実質的な機能としても、無駄なく対象物を収納することができる等、多くの優れた作用効果を奏する。
【発明を実施するための最良の形態】
【００１２】
以下、本発明の収納枠体を実現するための最良の形態を図１に従って説明するならば、本発明の収納枠体は、枠体単体１を基本的形態とし、この枠体単体１の複数を組み合わせるものである。
【００１３】
枠体単体１は一対の枠材２を相互に直交する姿勢で一体組付けして構成され、更に枠材２は、木製、合成樹脂製の板材を一体組付けしたもので、四角板形状の一対の端板３と、この端板３の二倍の長さを有する一対の側板４とで長方形四角枠５を構成し、更に双方の側板４間の中間に隔板６を配して内部に一対の正方形四角枠７を形成する形状である。
【００１４】
即ち枠体単体１は、一対の枠材２（図１（ａ））を、夫々の一方の正方形四角枠７同士を重ねて相互に直交する姿勢で一体組付けした（図１（ｂ））構成で、略Ｌ字形状の枠体単体１をもって一単位とする。
【実施例１】
【００１５】
図２に於いては、一対の枠体単体１にあって、一方の枠体単体１は垂直姿勢となった長方形四角枠５の下半部後面に水平姿勢となった長方形四角枠５を位置する姿勢とし、他方の枠体単体１は垂直姿勢となった長方形四角枠５の下半部前面に水平姿勢となった長方形四角枠５を位置する姿勢とし（図２（ａ））、一方の枠体単体１の垂直姿勢となった長方形四角枠５の側板４下位面に、他方の枠体単体１の水平姿勢となった長方形四角枠５の端板３を、夫々面接して組み合わせる（図２（ｂ））。
【００１６】
ここでは、夫々の水平姿勢となった長方形四角枠５が安定して設定されるので、一対の枠体単体１間に相互の連結手段を特段設ける必要はない。また、一方の枠体単体１の長方形四角枠５の側板４下位面に、他方の枠体単体１の長方形四角枠５の端板３を図示実施例の如く面接させる必要はなく、両者間を所望間隔だけ離らかせても良い。
【００１７】
上述した構成では、各正方形四角枠７内にＣＤディスクや本を収納し、各枠体単体１の上面にはこれ等に加え、花瓶や人形、その他の装飾品を載置することができる。
【実施例２】
【００１８】
図３に於いては、一対の枠体単体１にあって、夫々を同一方向に向け、且つ一方を倒立させた姿勢にし（図３（ａ））、倒立姿勢の一方の枠体単体１の水平姿勢となった長方形四角枠５を、他方の枠体単体１の水平姿勢となった長方形四角枠５の上に乗載して組み合わせる（図３（ｂ））。
【００１９】
図示実施例では、水平姿勢の長方形四角枠５同士の乗載比率は相互に３／４程度であるが、１／２程度でも良く、或いは全面的な乗載形態（即ち垂直姿勢の長方形四角枠５同士が面接状態となる）であっても良い。そしてこの実施例でも両枠体単体１は安定姿勢にあるので、相互間に連結手段を設ける必要はない。
【実施例３】
【００２０】
図４に於いては、一対の枠体単体１にあって、夫々を同一方向に向け且つＶ字形状の約４５度の傾斜姿勢にし（図４（ａ））、一方の枠体単体１の傾斜姿勢となった長方形四角枠５の上部を、他方の枠体単体１の傾斜姿勢となった長方形四角枠５の下部に乗載して組み合わせる（図４（ｂ））。
【００２１】
図４（ｂ）の組み合わせ形態では略Ｗ字形状となり、相互に寄り掛かった形状であるため不安定であり、従って両枠体単体１の相互間に例えば両面テープや面ファスナー、接着剤等の連結手段を設けると良い。また図示実施例を倒立形態とし、一対の枠体単体１を逆Ｖ字形状とすると共に組み合わせ形態を略Ｍ字形状としても良い。
【００２２】
上述した各実施例は、一対の枠体単体１を左右に配置した形態であるが、一対の枠体単体１を前後に配置しても良く、更には枠体単体１の三体以上を左右前後に配置しても良い。また、隔板６を端板３や側板４の肉厚の二倍にして、枠体単体１を前後に重ねた際に正方形四角枠７の内面を相互に面一になるようにする。
【図面の簡単な説明】
【００２３】
【図１】本発明の基本的形態を示す枠体単体の斜視図である。
【図２】枠体単体の組み合わせの実施例を示す斜視図である。
【図３】枠体単体の組み合わせの他の実施例を示す斜視図である。
【図４】枠体単体の組み合わせの他の実施例を示す斜視図である。
【符号の説明】
【００２４】
１  枠体単体
２  枠材
３  端板
４  側板
５  長方形四角枠
６  隔板
７  正方形四角枠
【図１】
2005046317.tif 000003
【図２】
2005046317.tif 000004
【図３】
2005046317.tif 000005
【図４】
2005046317.tif 000006